(57)【要約】【課題】一の印刷画像データに対して複数の印刷サイズの印刷領域を同時に表示する。【解決手段】ユーザが持参したリムーバル記録媒体から印刷画像データを読み出し、読み出した印刷画像データの中から印刷する印刷画像データを選択し、選択された印刷画像データ上に、複数の印刷サイズを示す印刷領域枠７１を同時に表示させることで、選択された印刷画像データを印刷する複数の印刷サイズの印刷領域を容易に確認することができ、それぞれの印刷サイズ間の印刷領域の関係も容易に把握することができる。【選択図】図７
2009094736.tif 000002
【特許請求の範囲】
【請求項１】
一の印刷画像データを複数の印刷サイズに亘って印刷するプリントシステムにおいて、
印刷画像データを表示する画像表示装置と、
上記画像表示装置で表示され、選択された一の印刷画像データを複数の印刷サイズに亘って印刷するプリンタ装置とを備え、
上記画像表示装置は、
上記印刷画像データが格納される記録手段と、
上記記録手段に格納された印刷画像データを表示する表示手段と、
選択された上記印刷画像データ上に上記複数の印刷サイズの枠データを上記表示手段に同時に表示させる制御手段とを有することを特徴とするプリントシステム。
【請求項２】
上記制御手段は、上記印刷画像データが編集されたとき、当該編集された印刷画像データを上記複数の印刷サイズに亘って印刷することを特徴とする請求項１記載のプリントシステム。
【請求項３】
上記制御手段は、上記印刷画像データがズームされたとき、上記複数の印刷サイズの枠データを、ズームの度合いに応じて同じ比率で拡大表示又は縮小表示させることを特徴とする請求項２記載のプリントシステム。
【請求項４】
上記制御手段は、上記印刷画像データが回転されたとき、上記複数の印刷サイズの枠データを、上記印刷画像データが回転された度合いに応じて同じ方向に回転させることを特徴とする請求項２記載のプリントシステム。
【請求項５】
上記複数の印刷サイズの枠データは、印刷サイズに応じて異なる色で形成されていることを特徴とする請求項１記載のプリントシステム。
【請求項６】
上記複数の印刷サイズの枠データは、印刷サイズに応じて異なる線種で形成されていることを特徴とする請求項１記載のプリントシステム。
【請求項７】
上記印刷画像データは、何れの印刷サイズでも印刷される共有印刷領域と、
何れかの印刷サイズで印刷される非共有印刷領域とを有し、
上記非共有印刷領域は、上記共有印刷領域よりも、視認性を下げて表示されることを特徴とする請求項１記載のプリントシステム。
【請求項８】
上記非共有印刷領域は、上記共有印刷領域よりも、画像の色が薄く表示されていることを特徴とする請求項７記載のプリントシステム。
【請求項９】
上記非共有印刷領域は、上記印刷サイズ毎に異なる濃淡で表示されることを特徴とする請求項８記載のプリントシステム。
【請求項１０】
更に、上記印刷画像データは、何れの印刷サイズにも印刷されない非印刷領域を有し、
上記非印刷領域は、上記非共有印刷領域と視認性を略同等、又は上記非共有印刷領域よりも、視認性を下げて表示されることを特徴とする請求項７記載のプリントシステム。
【請求項１１】
上記非印刷領域は、上記非共有印刷領域と画像の色が略同等の濃淡、又は上記非共有印刷領域よりも、画像の色が薄く表示されていることを特徴とする請求項１０記載のプリントシステム。
【請求項１２】
上記非印刷領域は、上記表示手段に表示されないことを特徴とする請求項１０記載のプリントシステム。
【請求項１３】
プリンタ装置によって複数の印刷サイズに亘って印刷される一の印刷画像データを表示する画像表示装置において、
上記印刷画像データが格納される記録手段と、
上記記録手段に格納された印刷画像データを表示する表示手段と、
選択された上記印刷画像データ上に上記複数の印刷サイズの枠データを上記表示手段に同時に表示させる制御手段とを備えることを特徴とする画像表示装置。
【請求項１４】
プリンタ装置によって複数の印刷サイズに亘って印刷される一の印刷画像データを表示する画像表示装置の画像表示方法において、
記録手段に格納された印刷画像データを表示手段に表示するステップと、
選択された印刷画像データ上に複数の印刷サイズの枠データを表示手段に同時に表示させるステップとを有することを特徴とする画像表示方法。
【請求項１５】
プリンタ装置によって複数の印刷サイズに亘って印刷される一の印刷画像データを表示する画像表示装置の制御コンピュータに、
記録手段に格納された印刷画像データを表示手段に表示し、
選択された印刷画像データ上に複数の印刷サイズの枠データを表示手段に同時に表示させる処理を実行させるための画像表示プログラム。
【発明の詳細な説明】
【技術分野】
【０００１】
本発明は、一の印刷画像データを複数の印刷サイズに亘って印刷するプリントシステム、画像表示装置、画像表示方法及び画像表示プログラムに関する。
【背景技術】
【０００２】
従来より、大型家電量販店や駅、ホテル等の公共の場に、デジタルスチルカメラやカメラ付き携帯電話等の撮像装置で撮影した印刷画像データを印刷するプリントキオスク端末が設置され、広く用いられている（特許文献１参照。）。この種のプリントキオスク端末は、ユーザが持参した印刷画像データが記録されたメモリカードが挿入され、当該メモリカードから印刷画像データを読み出してモニタに一覧表示する。ユーザは、モニタに一覧表示された印刷画像データの中から印刷する印刷画像データを選択し、印刷を実行していく。
【０００３】
このプリントキオスク端末には、選択された一の印刷画像データを、複数の印刷サイズに亘って印刷する印刷方法がある。ユーザは、選択された一の印刷画像データを、この印刷方法によって例えば３．５×５インチ、４×６インチ、５×７インチ、６×８インチ、８×１０インチ等の複数の印刷サイズに亘って印刷することができる。
【０００４】
しかしながら、これらの印刷サイズは、アスペクト比の違いから、いずれも異なる印刷領域を有している。したがって、選択された一の印刷画像データは、印刷サイズによって、印刷されない領域ができてしまう。
【０００５】
このとき、ユーザは、選択された一の印刷画像データを印刷するそれぞれの印刷サイズの印刷領域を確認するために、モニタで印刷サイズ毎にチェックする必要があり、手間がかかる上、モニタで印刷サイズ毎にチェックするので、印刷サイズ間の印刷領域の関係等が把握しづらい。
【０００６】
【特許文献１】特開２００６−２９５２３６号公報
【発明の開示】
【発明が解決しようとする課題】
【０００７】
本発明は、このような従来の事情に鑑みて提案されたものであり、一の印刷画像データを複数の印刷サイズに亘って印刷する際に、一の印刷画像データを印刷する複数の印刷サイズの印刷領域を一目で確認することができ、各印刷サイズ間の印刷領域の関係も把握しやすくすることができるプリントシステム、画像表示装置、画像表示方法及び画像表示プログラムを提供することを目的とする。
【課題を解決するための手段】
【０００８】
上述した目的を達成するために本発明に係るプリントシステムは、一の印刷画像データを複数の印刷サイズに亘って印刷するものであり、印刷画像データを表示する画像表示装置と、上記画像表示装置で表示され、選択された一の印刷画像データを複数の印刷サイズに亘って印刷するプリンタ装置とを備え、上記画像表示装置は、上記印刷画像データが格納される記録手段と、上記記録手段に格納された印刷画像データを表示する表示手段と、選択された上記印刷画像データ上に上記複数の印刷サイズの枠データを上記表示手段に同時に表示させる制御手段とを有するものである。
【０００９】
また、本発明に係る画像表示装置は、プリンタ装置によって複数の印刷サイズに亘って印刷される一の印刷画像データを表示するものであり、上記印刷画像データが格納される記録手段と、上記記録手段に格納された印刷画像データを表示する表示手段と、選択された上記印刷画像データ上に上記複数の印刷サイズの枠データを上記表示手段に同時に表示させる制御手段とを備えるものである。
【００１０】
更に、本発明に係る画像表示方法は、記録手段に格納された印刷画像データを表示手段に表示するステップと、選択された印刷画像データ上に複数の印刷サイズの枠データを表示手段に同時に表示させるステップとを有するものである。
【００１１】
以上のような本発明は、ハードウェアにおいて構成できる他に、ソフトウェアによっても実現することができる。すなわち、本発明に係る画像表示プログラムは、画像表示装置の制御コンピュータに、記録手段に格納された印刷画像データを表示手段に表示し、選択された印刷画像データ上に複数の印刷サイズの枠データを表示手段に同時に表示させる処理を実行させるものである。
【発明の効果】
【００１２】
本発明によれば、記録手段に格納された印刷画像データを表示手段に表示し、選択された印刷画像データ上に複数の印刷サイズの枠データを表示手段に同時に表示させることで、一の印刷画像データを印刷する複数の印刷サイズの印刷領域を容易に確認することができ、それぞれの印刷サイズ間の印刷領域の関係も容易に把握することができる。
【００１３】
また、本発明によれば、一の印刷画像データの編集処理を、一の印刷画像データを印刷する複数の印刷サイズの印刷領域を把握しながら行うことができる。更に、本発明によれば、一の印刷画像データに編集処理を行うことで、一の印刷画像データを印刷する複数の印刷サイズの編集を行うことができる。
【発明を実施するための最良の形態】
【００１４】
以下、本発明に係るプリントシステムについて、図面を参照しながら詳細に説明する。
【００１５】
このプリントシステムは、例えば駅やホテルなどの公共の場に設置され、ユーザが持参したメモリカード等のリムーバル記憶媒体に記憶されている印刷画像データを印刷するサービスを提供するプリントキオスク端末に用いられるものである。このプリントシステムは、写真が印刷されることに鑑み、プリンタ装置に、色再現性に優れる昇華型熱転写方式のプリンタが用いられている。
【００１６】
図１に示すように、本発明が適用されたプリントシステム１は、メモリカード等のリムーバル記録媒体より印刷画像データが入力され印刷画像データを表示し選択、編集させるための画像表示装置１０と、画像表示装置１０で選択された印刷画像データを印刷するプリンタ装置３０とを備えている。そして、例えば、画像表示装置１０とプリンタ装置３０とは、有線又は無線で接続されており、隣り合うように設置され、あるいは一つの筐体内に組み込まれている。
【００１７】
図２に示すように、プリントシステム１を構成する画像表示装置１０は、ユーザが持参したリムーバル記録媒体を読み出すための各種ドライブを備えている。具体的に、フラッシュメモリ等の半導体メモリを記憶素子に用いＵＳＢ（Universal Serial Bus）Ｉ／Ｆで記憶素子に記憶された印刷画像データを読み出すＵＳＢフラッシュメモリＩ／Ｆ１１と、ＣＤ（Compact Disc）、ＤＶＤ（Digital Versatile Disk）等の光ディスクより印刷画像データを読み出す光ディスクドライブ１２と、フラッシュメモリ等の半導体メモリを記憶素子に用いるメモリカードより記憶素子に格納された印刷画像データを読み出すメモリカードリーダ１３と、ユーザが持参した写真を光学的に読み取るスキャナ１４とを備えている。
【００１８】
また、この画像表示装置１０は、ＵＳＢフラッシュメモリＩ／Ｆ１１、光ディスクドライブ１２、メモリカードリーダ１３、スキャナ１４から入力された印刷画像データを表示すると共にユーザによって操作されるタッチパネル１５と、タッチパネル１５に表示する印刷画像データを一時的に格納する画像メモリ１６と、印刷枚数や画像印刷時印刷画像データの周囲に設けられるフレーム等のテンプレートの使用回数等のログデータを格納する記憶部１７と、全体の動作を制御する制御プログラムや印刷画像データを装飾するフレーム等のテンプレート、印刷画像データに追加する文字及び記号テーブル、及び色テーブルが格納されたＲＯＭ１８と、制御プログラムや選択されたフレーム等のテンプレート等が一時的にロードされるＲＡＭ１９と、所定の時間を計時するタイマ２０と、制御プログラムやユーザによって入力された操作信号に基づいて全体の動作を制御する制御部２１とを備えている。
【００１９】
また、画像表示装置１０は、プリンタ装置３０と印刷する印刷画像データを出力するプリンタＩ／Ｆ２２と、インターネット等のネットワークを介して外部の管理装置４０等と通信を行う通信Ｉ／Ｆ２３とを備えている。
【００２０】
タッチパネル１５は、印刷画像データ等を表示する表示部１５ａと、ユーザによって操作されることによって操作信号を発生する入力部１５ｂとを備えている。このタッチパネル１５は、指や専用のペンで画面に触れることで、指や専用のペンが触れた位置を検知して画面上の位置を指定し、制御部２１に操作信号を入力する。具体的には、圧力の変化を感知したり、静電気による電気信号を感知して画面上の位置を特定し、操作信号を発生する。
【００２１】
例えば、タッチパネル１５には、ＵＳＢフラッシュメモリ、光ディスク、メモリカード等に格納された複数の印刷画像データをサムネイル表示し、表示されたサムネイル画像の一又は複数を選択できるようになっている。またタッチパネル１５には、選択されたサムネイル画像に係る印刷画像データに合成する複数のフレームや選択されたフレームに追加する文字及び文字色を選択できるようになっている。
【００２２】
画像メモリ１６は、タッチパネル１５に表示する印刷画像データを格納するメモリであって、例えば、選択された印刷画像データの加工処理、例えばズーム処理、ズームする領域を移動する処理、印刷画像データの回転処理、文字等のテキストデータの追加処理、フレームとの合成処理等を行ったとき、加工後の印刷画像データを格納し、タッチパネル１５に出力する。
【００２３】
記憶部１７は、ハードディスク等で構成されており、印刷のログデータ等を記録する。例えば、記憶部１７には、ログデータとして、印刷画像データと合成されるフレームの選択数や印刷枚数等が格納される。このログデータは、管理装置４０に送信されることによって、管理者がフレーム等のテンプレートの人気度合い等の参考に利用することができる他、ユーザがフレーム等のテンプレートを選択する際、人気のあるテンプレートを優先的に、テンプレートの選択画面に表示する処理を行うことに用いることができる。また、ログデータは、ＵＳＢフラッシュメモリＩ／Ｆ１１、光ディスクドライブ１２、メモリカードリーダ１３等に装着されたリムーバル記録媒体に格納することもできる。また、記憶部１７には、プリンタ装置３０で印刷可能な印刷サイズの印刷領域やフレーム等のデータが格納される。
【００２４】
ＲＯＭ１８は、ＥＰ−ＲＯＭ（Erasable Programmable Read-Only Memory）等でなり、読み込んだ印刷画像データをサムネイル表示するためのブラウザ、印刷画像データを加工するための加工プログラム等を格納している。そして、このような各種プログラムは、操作信号に応じてＲＡＭ１９に読み込まれる。
【００２５】
タイマ２０は、時刻や所定時間を計時する。例えば、タイマ２０によって、上述のログデータは、印刷時刻等に関連付けて記憶部１７に格納されることになる。また、所定期間内の印刷枚数や選択回数をカウントするとき、１箇月間等の所定期間をカウントする。
【００２６】
制御部２１は、ＣＰＵ等で構成されており、操作信号等に応じてプログラムに従った所定の演算処理を行う。
【００２７】
例えば、制御部２１は、タッチパネル１５で所定の単位画像が選択されると、選択された印刷画像データを選択状態にし、表示状態を変える処理を行い、また、選択された印刷画像データに対して加工処理の操作がされたとき、操作信号に応じて、選択された印刷画像データに対して、ズーム処理、ズームする領域を移動する処理、印刷画像データの回転処理、文字等のテキストデータの追加処理、フレームとの合成処理等を行う。
【００２８】
プリンタＩ／Ｆ２２は、プリンタ装置３０と有線又は無線で接続され、印刷する印刷画像データをプリンタ装置３０に対して出力する。また、通信Ｉ／Ｆ２３は、インターネット等のネットワークを介して例えば管理装置４０と接続されている。例えば、通信Ｉ／Ｆ２３は、記憶部１７に格納されたログデータ等を管理装置４０に、ＴＣＰ／ＩＰ等所定のプロトコルに従って送信する。
【００２９】
プリンタＩ／Ｆ２２を介して画像表示装置１０と接続されるプリンタ装置３０は、図２に示すように、普通紙等に対してインクリボンの染料を昇華してカラー画像を形成するサーマルヘッド３１と、印刷する印刷データを画像表示装置１０のプリンタＩ／Ｆ２２より入力された印刷画像データより生成する印刷データ生成部３２と、サーマルヘッド３１を駆動制御するヘッド制御部３３と、インクリボンを走行させるインクリボン走行部３４と、記録紙を搬送する記録紙搬送部３５とを備えている。
【００３０】
サーマルヘッド３１は、ロール紙等の幅方向に直線的に複数個の発熱素子が配列されており、印刷データに応じた駆動電流が発熱素子に供給されることによって、複数の発熱素子を選択的に発熱させる。このサーマルヘッド３１は、プラテンと対峙しており、記録紙に対してインクリボンを圧接し、インクリボンの側から熱エネルギを印加することによって、染料等を昇華し、記録紙に染料を転写させる。
【００３１】
印刷データ生成部３２は、印刷画像データを印刷データに変換する。具体的に、印刷データ生成部３２は、印刷画像データをインク色であるＹＭＣ色空間に変換する色変換処理を施し、ロール紙の発色特性に合わせたガンマ変換処理等の所定の処理を行う。
【００３２】
ヘッド制御部３３は、印刷データ生成部３２で生成された印刷データに応じてサーマルヘッド３１の駆動信号を生成し、この駆動信号をサーマルヘッド３１に供給することによって、印刷画像データに応じてサーマルヘッド３１を駆動制御する。なお、印刷データ生成部３２で行う処理は、画像表示装置１０で行い、生成された印刷データをプリンタ装置３０に出力してもよい。
【００３３】
また、インクリボン走行部３４は、リボンカートリッジに、供給リールと巻取リールとに巻回されたインクリボンを走行させる。ここで、インクリボンは、例えばイエロー、シアン、マゼンタ、ラミネートフィルムの順で走行方向に面順次で並んで設けられており、一組のイエロー、シアン、マゼンタ、ラミネートフィルムで一枚の写真を記録紙に形成するようになっている。
【００３４】
記録紙搬送部３５は、搬送ローラや複数の駆動ローラ等を有しており、ロール紙等の記録紙を、給紙部からサーマルヘッド３１を介して排紙部まで搬送する。記録紙には、画像を形成するため、イエロー、シアン、マゼンタ、ラミネートフィルムを順に転写する必要がある。そこで、記録紙搬送部３５は、先ず、記録紙をインクリボンと同期させて走行させることでイエローが記録紙に熱転写されると、次いで、記録紙を逆方向に走行させて頭出しをし、シアンがイエロー上に熱転写されるようにし、更に、記録紙を逆方向に走行させて頭出しをし、マゼンタがシアン上に熱転写されるようにし、これを繰り返して、イエロー、シアン、マゼンタ、ラミネートフィルムの順で記録紙に対して熱転写を行うことができるようにする。
【００３５】
次に、本発明が適用されたプリントシステム１において、ユーザが持参したリムーバル記録媒体から印刷画像データを読み出し、読み出した印刷画像データの中から印刷する印刷画像データを選択し、選択された印刷画像データ上に、複数の印刷サイズの印刷領域を同時に表示する手順について説明する。
【００３６】
画像表示装置１０は、操作待機状態においてはタッチパネル１５の表示部１５ａに、待機画面（図示せず）が表示され、この待機画面に表示されているスタートボタンがタッチされると、図３に示すメディア選択画面５０が表示される。
【００３７】
メディア選択画面５０は、図３に示すように、印刷画像データや印刷データを読み込むメディアを選択するための画面であり、ＵＳＢフラッシュメモリＩ／Ｆ１１、光ディスクドライブ１２、メモリカードリーダ１３にそれぞれ装着されたＵＳＢメモリ、光ディスク、各種メモリカードを表すアイコンにタッチすることによりメディアを指定することができる。
【００３８】
印刷画像データを読み込むメディアが指定されると、表示部１５ａには、図４に示す印刷メニュー画面５１が表示される。印刷メニュー画面５１は、図４に示すように、読み込んだ印刷画像データの印刷方法を選択するものであり、例えば３．５×５インチ、４×６インチ、５×７インチ、６×８インチ、８×１０インチなどの印刷サイズ選択アイコン５１ａや、「Quick Print All Pictures」「Collage」「Scrapbook」「Creative Print」「CD Creation」「Index Print」「Portrait Package」などの特殊メニューアイコン５１ｂが表示される。
【００３９】
印刷サイズ選択アイコン５１ａは、印刷サイズを決定するためのアイコンであり、制御部２１は、選択されたサイズをデフォルトサイズとして設定し、ユーザが個々の印刷画像データに対するサイズ変更操作を行わない限り、選択された印刷画像データを印刷サイズ選択アイコン５１ａで設定されたデフォルトサイズで印刷するものである。
【００４０】
特殊メニューアイコン５１ｂのうち、「Quick Print All Pictures」アイコンは、読み込まれた全印刷画像データを印刷するように設定するものである。また、「Collage」アイコンは、読み込まれた印刷画像データの一部分又は全部を切り取り他に読み込まれた印刷画像データに貼り付けることによって一枚の印刷画像を構成するように編集を行うものである。また、「Scrapbook」アイコンは、読み込まれた印刷画像データの一部分を切り取り他の印刷画像データと共に一枚の印刷画面に貼り付けるなどの各種編集を施して印刷するものである。
【００４１】
また、その他の特殊メニューアイコン５１ｂのうち、「Creative Print」アイコンは、上述した「Collage」「Scrapbook」などの編集を印刷画像データ毎に施すものである。また、「CD Creation」アイコンは、印刷画像データをＣＤ−Ｒ等の光ディスクに記録するものである。また、「Index Print」アイコンは、全印刷画像データを一覧表示して印刷するものである。また、「Portrait Package」アイコンは、選択された一の印刷画像データを複数の印刷サイズに亘って印刷するものである。
【００４２】
その他、印刷メニュー画面５１は、初期画面に戻る「Start Over」アイコン、操作不明時に使用する「Help ?」アイコン、メディア選択画面５０に戻る「Go Back」アイコンが表示されている。なお、これら印刷サイズ選択アイコン５１ａのサイズや特殊メニューアイコン５１ｂのメニューは適宜追加、変更、削減することができる。
【００４３】
特殊メニューアイコン５１ｂのうち、「Portrait Package」アイコンがタッチされると、制御部２１は、タッチパネル１５の表示を図５に示すポートレート内容確認画面５２に移行させる。ポートレート内容確認画面５２には、図５に示すように、選択された印刷画像データが印刷される複数の印刷サイズと、これら印刷サイズ毎の印刷枚数と、料金とが表示されている。
【００４４】
なお、印刷サイズや印刷枚数は、図５に示したものに限定されるものではなく、適宜追加、変更、削除することができる。また、ユーザが、ポートレート内容確認画面５２で変更操作を行うことで、印刷サイズや印刷枚数の組み合わせが異なる他のパッケージに変更できるようにしてもよい。
【００４５】
その他、ポートレート内容確認画面５２は、初期画面に戻る「Start Over」アイコン、操作不明時に使用する「Help ?」アイコン、印刷メニュー画面５１に戻る「Go Back」アイコンが表示されている。
【００４６】
ユーザがポートレート内容を確認し、「OK」アイコンにタッチすると、制御部２１は、タッチパネル１５の表示を、図６に示す印刷画像選択画面５３に移行させる。印刷画像選択画面５３には、図６に示すように、印刷画像データがサムネイル表示されるサムネイル表示部５４と、選択されたサムネイル表示に係る印刷画像データを編集する編集画像に移行する編集アイコン５５と、印刷画像選択画面５３が複数ページに亘る場合にページを移行するページ送りアイコン５６と、他のメディアから印刷画像データの読み込みを行うメディア選択アイコン５７とが表示されている。
【００４７】
その他、印刷画像選択画面５３には、初期画面に戻る「Start Over」アイコン、ポートレート内容確認画面５２に戻る「Go Back」アイコン、操作不明時に使用する「Help ?」アイコンが表示されている。
【００４８】
制御部２１は、先に選択されたリムーバル記憶媒体に記憶されている印刷画像データを、サムネイル表示部５４にサムネイル表示するために読み出し、画像メモリ１６に保存する。そして制御部２１は、図６に示すサムネイル表示部５４に、画像メモリ１６より所定の順番、例えば撮影日時の新しい順に、印刷画像データをサムネイル表示部５４にサムネイル表示していく。
【００４９】
なお、制御部２１は、メモリカード内に印刷画像データに関連したＤＰＯＦ（Ｄｉｇｉｔａｌ  Ｐｒｉｎｔ  Ｏｒｄｅｒ  Ｆｏｒｍａｔ）（登録商標）等の印刷データが作成されている場合は、かかる印刷データも読み出し、この印刷データが作成された印刷画像データを優先してサムネイル表示するようにしてもよい。これにより、ユーザは、印刷を行う可能性の高い印刷画像データから閲覧することができ、メモリカード内に保存されている膨大な印刷画像データの中から印刷したい印刷画像データを効率よく探し出すことができる。
【００５０】
以上のように印刷画像データがサムネイル表示され、次いで、ユーザが印刷する印刷画像データのサムネイルにタッチして選択すると、選択された印刷画像データのサムネイル表示枠を他よりも太く表示する、又は表示枠の背景色が変わる等して選択状態とされる。この状態で「OK」アイコンがタッチされると、制御部２１は、タッチパネル１５の表示を後述する図示しないオーダー確認画面に移行する。
【００５１】
また、選択された印刷画像データに対するそれぞれの印刷サイズの印刷領域をユーザが確認するためや、印刷画像データを編集するとき、編集したい印刷画像データのサムネイルにタッチして選択し、「編集」アイコンがタッチされると、制御部２１は、タッチパネル１５の表示を図７及び図８に示す印刷画像編集画面５８に移行する。
【００５２】
印刷画像編集画面５８は、図７及び図８に示すように、印刷画像選択画面５３で選択された印刷画像データを表示する写真表示部７０と、選択された印刷画像データ上に、複数の印刷サイズの印刷領域を表示する印刷領域枠７１と、「Zoom In」「Zoom Out」「Landscape portrait」「Rotate picture」「上下左右」等の印刷サイズの印刷領域を編集する印刷領域編集アイコン７２と、「Add Text」「Add Border」「Sepia B/W」「Auto Enhance」「Manual Adjust」等の選択された印刷画像データを編集する印刷画像編集アイコン７３とが表示される。
【００５３】
写真表示部７０には、印刷画像選択画面５３で選択された印刷画像データが表示され、この印刷画像データ上に、例えば３．５×５インチ、４×６インチ、５×７インチ、６×８インチ、８×１０インチの印刷サイズの印刷領域を示す印刷領域枠７１ａ，７１ｂ，７１ｃ，７１ｄ，７１ｅが表示される。（以下、印刷領域枠７１ａ，７１ｂ，７１ｃ，７１ｄ，７１ｅを、単に、印刷領域枠７１ともいう。）。
【００５４】
これらの印刷領域枠７１は、それぞれ印刷サイズが異なるものであるが、選択された印刷画像データが写真表示部７０に表示される際に、アスペクト比を維持して写真表示部７０に表示された印刷画像データ上に同時に表示される。これにより、ユーザは、写真表示部７０を見ることで、選択された印刷画像データを印刷する各印刷サイズの印刷領域を一目で確認することができ、印刷サイズ間の印刷領域の関係も容易に把握することができる。
【００５５】
更に、印刷領域枠７１は、それぞれ異なる色で表示され、ユーザが一目でそれぞれの印刷領域が確認できるように表示されている。例えば、３．５×５インチの印刷領域枠７１ａは白色で表示され、４×６インチの印刷領域枠７１ｂは緑色で表示され、５×７インチの印刷領域枠７１ｃは赤色で表示され、６×８インチの印刷領域枠７１ｄは青色で表示され、８×１０インチの印刷領域枠７１ｅは黄色で表示されている。
【００５６】
なお、印刷領域枠７１は、上述した色で表示されることに限定されるものではなく、ユーザが一目でそれぞれの印刷領域を確認することができれば、如何なる色でもよく、適宜変更可能である。また、印刷領域枠７１は、異なる色で表示されていることに限定されるものではなく、ユーザが一目でそれぞれの印刷領域を確認することができればよく、実線、点線、鎖線等の異なる線種で表示されてもよい。更に、印刷領域枠７１は、上述した色及び線種を組み合わせて表示することで、ユーザが一目でそれぞれの印刷領域を容易に確認することができるようにしてもよい。
【００５７】
また、印刷画像データは、印刷領域枠７１がアスペクト比を維持して写真表示部７０に表示された印刷画像データ上に同時に表示されるが、図９（Ａ）に示すような印刷画像データについて複数の印刷サイズに亘って印刷しようとすると、それぞれの印刷サイズのアスペクト比が異なるため、図９（Ｂ）に示すように、何れの印刷サイズでも印刷される共有印刷領域７４と、何れかの印刷サイズで印刷される共有印刷領域７４以外の非共有印刷領域７５と、何れの印刷領域でも印刷されない非印刷領域７６とを有している。
【００５８】
非共有印刷領域７５は、共有印刷領域７４が印刷画像データと同じ画像の色で表示されるのに対して、共有印刷領域７４よりも画像の色が薄く表示される。これにより、ユーザは、非共有印刷領域７５が共有印刷領域７４よりも視認性が下がり、共有印刷領域７４と非共有印刷領域７５とを容易に区別することができ、それぞれの印刷領域を容易に確認することができる。
【００５９】
また、非印刷領域７６は、非共有印刷領域７５よりも画像の色が薄く表示される。これにより、ユーザは、非印刷領域７６が非共有印刷領域７５よりも視認性が下がり、非共有印刷領域７５と非印刷領域７６とを容易に区別することができ、それぞれの印刷領域を容易に確認することができる。
【００６０】
なお、非印刷領域７６は、非共有印刷領域７５と、略同等の濃淡で画像の色が表示されるようにしてもよい。これにより、ユーザは、非共有印刷領域７５及び非印刷領域７６が共有印刷領域７４よりも視認性が下がり、共有印刷領域７４と、非共有印刷領域７５及び非印刷領域７６とを容易に区別することができ、それぞれの印刷領域を容易に確認することができる。
【００６１】
また、印刷画像データは、上述したように、一方の領域を他方の領域よりも画像を薄く表示して、一方の領域の視認性を下げて、それぞれの領域を区別することで、それぞれの印刷領域を確認することに限定されるものではない。印刷画像データは、例えば、非共有印刷領域７５及び非印刷領域７６を、セピアやモノクロ等の所定の色で単一色画像に変換して、領域毎に所定の色の濃淡を異ならせることで、領域の視認性を異ならせて、領域を区別することで、それぞれの印刷領域を容易に確認することができるようにしてもよい。
【００６２】
更に、印刷画像データは、非印刷領域７６を所定の色、例えば写真表示部７０の背景色で塗りつぶし、ユーザが非印刷領域７６を視認することができないように表示してもよい。これにより、ユーザは、非共有印刷領域７５と非印刷領域７６とを容易に区別することができ、それぞれの印刷領域を容易に確認することができる。
【００６３】
また、印刷画像データは、非印刷領域７６を写真表示部７０に表示せず、ユーザが非印刷領域７６を視認することができないようにしてもよい。これにより、ユーザは、非共有印刷領域７５と非印刷領域７６とを区別することができ、それぞれの印刷領域を容易に確認することができる。
【００６４】
更に、印刷画像データは、印刷サイズの非共有印刷領域７５毎に画像の色の濃淡を異ならせて表示することや、セピアやモノクロ等の所定の色で単一色画像に変換して、印刷サイズの非共有印刷領域７５毎に所定の色の濃淡を異ならせることで、印刷サイズの非共有印刷領域毎に視認性を異ならせて、印刷サイズの非共有印刷領域７５を区別することで、それぞれの印刷サイズの非共有印刷領域７５を容易に確認することができるようにしてもよい。
【００６５】
また、印刷領域編集アイコン７２のうち、「Zoom In」のアイコンは、選択された印刷画像データを拡大するものであり、「Zoom Out」のアイコンは、選択された印刷画像データを縮小するものである。「Zoom In」アイコンがタッチされると、図１０に示すように、制御部２１は、選択された印刷画像データを拡大させる度合いに応じて同じ比率で印刷領域枠７１を縮小させて、縮小された印刷領域枠７１を印刷画像データ上に表示する。具体的に、制御部２１は、ユーザが選択された印刷画像データを２倍に拡大させて印刷したいとき、各印刷サイズのアスペクト比を維持した状態で印刷領域枠７１を２分の１に縮小させて、印刷画像データ上に２分の１に縮小された印刷領域枠７１を表示させる。同様に、「Zoom Out」アイコンがタッチされると、制御部２１は、選択された印刷画像データを縮小させる度合いに応じて印刷領域枠７１を拡大させて、拡大された印刷領域枠７１を印刷画像データ上に表示する。これにより、ユーザは、拡大表示又は縮小表示された印刷画像データに対しても、複数の印刷領域を一目で確認することができると共に、各印刷領域の関係も容易に把握することができる。
【００６６】
また、「Landscape portrait」のアイコンは、印刷領域枠７１を回転させるものである。「Landscape portrait」アイコンがタッチされると、図１１に示すように、制御部２１は、印刷画像データに対して印刷領域枠７１を例えば一度アイコンをタッチされる毎に９０度、左又は右回転させる。また、「Rotate picture」のアイコンは、図１２に示すように、選択された印刷画像データを回転させるものである。「Rotate picture」アイコンがタッチされると、制御部２１は、印刷画像データを回転させる共に、印刷領域枠７１を印刷画像データの回転された度合いに応じて同じ方向に回転させる。また、「上下左右」アイコンは、印刷画像データに対して印刷領域枠７１、後述するテキストデータ又は各種フレームを上下左右方向に移動させるものである。「上下左右」アイコンがタッチされると、制御部２１は、印刷画像データに対して印刷領域枠７１、テキストデータ又は各種フレームをタッチされたアイコンの方向へ微動させる。
【００６７】
印刷画像編集アイコン７３のうち、「Add Text」アイコンは、選択された印刷画像データに、文字や日付等のテキストデータを追加する編集を行うものである。また、「Add Border」アイコンは、選択された印刷画像データに、各種フレーム等のテンプレートを用いて印刷画像の周囲に装飾を施すように設定するものである。また、「Sepia B/W」アイコンは、選択された印刷画像データをセピア調又はモノクロ調に変換するものである。「Auto Enhance」アイコンは、選択された印刷画像データの補正を自動的に行うものである。また、「Manual Adjust」アイコンは、選択された印刷画像データの補正をユーザが手動で行うものである。
【００６８】
以上のような印刷領域編集アイコン７２及び印刷画像編集アイコン７３を用いて選択された印刷画像データを編集している際にも、写真表示部７０には、図８に示すように、選択された印刷画像データ上に、各印刷サイズ毎の印刷領域枠７１が同時に表示される。これにより、ユーザは、各印刷サイズの印刷領域を把握しながら、写真表示部７０に表示された印刷画像データの編集を行うことができる。また、ユーザは、選択された印刷画像データの編集を行うことで、選択された印刷画像データを印刷する複数の印刷サイズの編集を行うことができる。
【００６９】
その他、印刷画像編集画面５８には、初期画面に戻る「Start Over」アイコン、操作不明時に使用する「Help ?」アイコン、印刷画像選択画面５３に戻る「Go Back」アイコンが表示されている。
【００７０】
制御部２１は、印刷画像編集画面５８において、選択された印刷画像データの編集が終了し、画面右下にある「OK」アイコンがタッチされると、編集後の印刷画像データを画像メモリ１６に格納し、印刷画像編集画面５８を閉じて、図示しないオーダー確認画面に移行する。
【００７１】
制御部２１は、オーダー確認画面において、編集後の印刷画像データを印刷する印刷サイズと、各印刷サイズ毎の印刷枚数と、トータルの金額を表示する。このオーダー確認画面においてＯＫボタンがタッチされると、編集後の印刷画像データをプリンタ装置３０に送信し、プリンタ装置の制御部によって当該印刷画像データに基づいて印刷データが生成される。そして、プリンタ装置３０は、印刷データに基づいて、サーマルヘッド３１，インクリボン走行部３４及び記録紙搬送部３５を駆動し、複数のサイズの用紙に編集後の印刷画像データに応じて写真を印刷する。
【００７２】
以上のような構成を有するプリントシステム１は、ユーザが持参したリムーバル記録媒体から印刷画像データを読み出し、読み出した印刷画像データの中から印刷する印刷画像データを選択し、選択された印刷画像データ上に複数の印刷サイズの印刷領域枠７１を同時に表示させることで、選択された印刷画像データを印刷する複数の印刷サイズの印刷領域を容易に確認することができ、それぞれの印刷サイズ間の印刷領域の関係も容易に把握することができる。また、プリントシステム１は、選択された印刷画像データの編集処理を、選択された印刷画像データを印刷する複数の印刷サイズの印刷領域を把握しながら行うことができる。更に、プリントシステムは、選択された印刷画像データに編集処理を行うことで、選択された印刷画像データを印刷する複数の印刷サイズの編集を行うことができる。
【００７３】
なお、本発明は上述した実施の形態のみに限定されるものではなく、本発明の用紙を逸脱しない範囲において種々の変更が可能である。例えば本実施の形態では、ハードウェア構成として説明したが、これに限定されるものではなく、任意の処理をＣＰＵ（central-processing-unit）にコンピュータプログラムを実行させることにより実現することも可能であり、また、インターネットその他の伝送媒体を介して伝送することにより提供することも可能である。
【図面の簡単な説明】
【００７４】
【図１】本発明が適用されたプリントシステムを示す斜視図である。
【図２】プリントシステムのブロック図である。
【図３】メディア選択画面を示す図である。
【図４】印刷メニュー画面を示す図である。
【図５】ポートレート内容確認画面を示す図である。
【図６】印刷画像選択画面を示す図である。
【図７】印刷画像編集画面を示す図である。
【図８】印刷画像データを編集している際の印刷画像編集画面を示す図である。
【図９】印刷画像データを示す図である。（Ａ）は、印刷画像データを示し、（Ｂ）は、印刷画像データ上に複数の印刷領域枠が同時に表示された状態を示す図である。
【図１０】印刷画像データを拡大した際の写真表示部を示す図である。
【図１１】印刷領域枠を回転した際の写真表示部を示す図である。
【図１２】印刷画像データ及び印刷領域枠を回転した際の写真表示部を示す図である。
【符号の説明】
【００７５】
１  プリントシステム、１０  画像表示装置、１１  フラッシュメモリＩ／Ｆ、１２  光ディスクドライブ、１３  メモリカードリーダ、１４  スキャナ、１５  タッチパネル、１５ａ  表示部、１５ｂ  入力部、１６  画像メモリ、１７  記憶部、２０  タイマ、２１  制御部、２２  プリンタＩ／Ｆ２２、２３  通信Ｉ／Ｆ、３０  プリンタ装置、３１  サーマルヘッド、３２  印刷データ生成部、３３  ヘッド制御部、３４  インクリボン走行部、３５  記録紙搬送部、４０  管理装置、５０  メディア選択画面、５１  印刷メニュー画面、５１ａ  印刷サイズ選択アイコン、５１ｂ  特殊メニューアイコン、５２  ポートレート内容確認画面、５３  印刷画像選択画面、５４  サムネイル表示部、５５  編集アイコン、５６  ページ送りアイコン、５７  メディア選択アイコン、５８  印刷画像編集画面、７０  写真表示部、７１  印刷領域枠、７２  印刷領域編集アイコン、７３  印刷画像編集アイコン、７４  共有印刷領域、７５  非共有印刷領域、７６  非印刷領域
【図１】
2009094736.tif 000003
【図２】
2009094736.tif 000004
【図３】
2009094736.tif 000005
【図４】
2009094736.tif 000006
【図５】
2009094736.tif 000007
【図６】
2009094736.tif 000008
【図７】
2009094736.tif 000009
【図８】
2009094736.tif 000010
【図９】
2009094736.tif 000011
【図１０】
2009094736.tif 000012
【図１１】
2009094736.tif 000013
【図１２】
2009094736.tif 000014